(57)【要約】      （修正有）【課題】移動式Ｘ線撮影装置の駐車位置にかかわらず、Ｘ線画像データおよび対応する被検体属性データを速やかにデータ管理装置に転送する。【解決手段】この発明のＸ線撮影システムに用いられる移動式Ｘ線撮影装置１は、Ｘ線撮影装置１で取得されたＸ線画像データが対応する被検体属性データと共にＸ線撮影装置１の無線送信部１３により無線送信されると共に、無線送信されたＸ線画像データおよび被検体属性データがデータ管理装置２の無線受信部１９により受信される構成を備えているので、Ｘ線撮影装置１の駐車位置が何処であっても、Ｘ線撮影装置１で取得されたＸ線画像データを対応する被検体属性データと共にＸ線撮影関連データ管理装置２へ速やかに転送することができる。【選択図】図３
2006095212.tif 000002
【特許請求の範囲】
【請求項１】
（ａ）被検体にＸ線を照射するＸ線管と、被検体の透過Ｘ線像を検出するフラットパネル型Ｘ線検出器と、フラットパネル型Ｘ線検出器から出力されるＸ線検出信号を信号処理してＸ線画像データを取得する検出信号処理手段と、Ｘ線画像データにしたがってＸ線画像を表示する第１画像表示手段とが移動可能な台車に搭載されている移動式Ｘ線撮影装置と、（ｂ）移動式Ｘ線撮影装置で取得されたＸ線画像データを対応する被検体属性データと共に記憶するデータ記憶手段と、Ｘ線画像データにしたがってＸ線画像を表示する第２画像表示手段が配備されているＸ線撮影関連データ管理装置と含む回診用Ｘ線撮影システムにおいて、（ｃ）移動式Ｘ線撮影装置が、検出信号処理手段で取得されるＸ線画像データを対応する被検体属性データと共に無線送信する無線送信手段を備えていて（ｄ）Ｘ線撮影関連データ管理装置が、無線送信されるＸ線画像データおよび被検体属性データを受信する無線受信手段を備えていることを特徴とする回診用Ｘ線撮影システム。
【請求項２】
請求項１に記載の回診用Ｘ線撮影システムにおいて、Ｘ線撮影関連データ管理装置が、移動式Ｘ線撮影装置によるＸ線撮影遂行に必要な緊急情報を無線送信する無線送信手段を備えていて、移動式Ｘ線撮影装置が、無線送信されるＸ線撮影遂行に必要な緊急情報を受信する無線受信手段と、Ｘ線撮影遂行に必要な緊急情報を表示する情報表示手段とを備えている回診用Ｘ線撮影システム。
【請求項３】
請求項２に記載の回診用Ｘ線撮影システムにおいて、情報表示手段が移動式Ｘ線撮影装置の第１画像表示手段に、伝達された緊急情報を表示させる回診用Ｘ線撮影システム。
【請求項４】
請求項１に記載の回診用Ｘ線撮影システムに用いられる移動式Ｘ線撮影装置であって、被検体にＸ線を照射するＸ線管と、被検体の透過Ｘ線像を検出するフラットパネル型Ｘ線検出器と、フラットパネル型Ｘ線検出器から出力されるＸ線検出信号を信号処理してＸ線画像データを取得する検出信号処理手段と、Ｘ線画像データにしたがってＸ線画像を表示する第１画像表示手段とが移動可能な台車に搭載されている移動式Ｘ線撮影装置において、検出信号処理手段で取得されるＸ線画像データを対応する被検体属性データと共に無線送信する無線送信手段を備えていることを特徴とする移動式Ｘ線撮影装置。
【発明の詳細な説明】
【技術分野】
【０００１】
この発明は、被検体にＸ線を照射するＸ線管や被検体の透過Ｘ線像を検出するフラットパネル型Ｘ線検出器などが移動可能な台車に搭載されている移動式Ｘ線撮影装置と、移動式Ｘ線撮影装置で取得されたＸ線画像データおよび対応する被検体属性データを記憶するデータ記憶手段などが配備されているＸ線撮影関連データ管理装置とがシステムを構成する装置として含まれる回診用Ｘ線撮影システム、ならびに、これに用いられる移動式Ｘ線撮影装置に係り、特に、移動式Ｘ線撮影装置からＸ線画像データを対応する被検体属性データと共にＸ線撮影関連データ管理装置へ転送するための技術に関する。
【背景技術】
【０００２】
病院等の医療機関で使われている従来の回診用Ｘ線撮影システムは、図５に示すように、病室から病室へ移動する移動式Ｘ線撮影装置（以下、適宜「Ｘ線撮影装置」と略記）５１と、管理室に据え置かれるＸ線撮影関連データ管理装置（以下、適宜「データ管理装置」と略記）５２とからなり、Ｘ線撮影装置５１からＸ線画像データを対応する被検体属性データと共にデータ管理装置５２へ転送される構成とされている。
【０００３】
Ｘ線撮影装置５１の場合、図６に示すように、Ｘ線照射用のＸ線管５３と、透過Ｘ線像検出用のフラットパネル型Ｘ線検出器（以下、適宜「ＦＰＤ」と略記）５４と、ＦＰＤ５４から出力されるＸ線検出信号を信号処理してＸ線画像データを取得する検出信号処理部５５と、Ｘ線画像データを記憶するデータメモリ５６と、Ｘ線画像データにしたがってＸ線画像を表示する画像表示モニタ５７が電動移動可能な台車５８に搭載されている。
【０００４】
データ管理装置５２の場合、図５に示すように、Ｘ線撮影装置５１で取得されたＸ線画像データを対応する被検体属性データと共に記憶するデータメモリ５９や、Ｘ線画像データにしたがってＸ線画像を表示する画像表示モニタ６０等が配備されている。
【０００５】
図５の回診用Ｘ線撮影システムでＸ線撮影を実行する場合、撮影技師などが台車５８を電動走行させてＸ線撮影装置５１をＸ線撮影対象の被検体（患者）の居る病室（撮影場所）へ移動させる。Ｘ線撮影装置５１が病室に到着した後、図７に示すように、ＦＰＤ５４を台車５８から取り出して被検体Ｍの背中側にセットすると共にＦＰＤ５４を台車５８に接続する。そして、Ｘ線管５３からＸ線を照射すると共に、Ｘ線照射に伴ってＦＰＤ５４から出力されるＸ線検出信号を検出信号処理部５５で信号処理してＸ線画像データを取得してデータメモリ５６に記憶する。
【０００６】
ひとつの病室でのＸ線撮影が終われば、Ｘ線撮影装置５１を次の病室へ移動させて同様にＸ線撮影を繰り返す。
【０００７】
そして、１回のＸ線撮影が終了する毎、或いは何回かのＸ線撮影が終わった処で、図５に示すように、Ｘ線撮影装置５１を通信ケーブル６１で院内ネットワーク６２に接続しておいて、データメモリ５６に記憶したＸ線画像データを対応する被検体属性データと共に通信ケーブル６１からデータ通信用の院内ネットワーク６２を経由してデータ管理装置５２へ有線送信する。なお、Ｘ線画像データに対応する被検体属性データとしては、例えば撮影対象の被検体Ｍの氏名および患者番号や病室番号などが挙げられる。
【０００８】
Ｘ線画像データおよび被検体属性データが有線送信されるデータ管理装置５２の方では、受信したＸ線画像データに従ってＸ線画像を画像表示モニタ６０で表示してチェックしたり、受信したＸ線画像データのうちで保管の必要なデータについては対応する被検体属性データと共にデータメモリ５９に記憶して管理する（例えば特許文献１を参照。）。
【特許文献１】特開平１１−１８８０２５号公報（第２〜３頁，図１〜図２）
【発明の開示】
【発明が解決しようとする課題】
【０００９】
しかしながら、上記従来の回診用Ｘ線撮影システムの場合、往々にしてＸ線撮影装置５１からＸ線画像データおよび対応する被検体属性データをデータ管理装置５２に速やかに転送できないという問題がある。
【００１０】
Ｘ線撮影装置５１の駐車位置によっては、院内ネットワーク６２における通信ケーブル６１の接続口がＸ線撮影装置５１から非常に遠いことがある。この場合、長い通信ケーブル６１を引き回さなければならなかったり、或いは、通信ケーブル６１の長さが足りずにＸ線撮影装置５１の駐車位置を変更しなければならなかったりして、Ｘ線撮影装置５１からＸ線画像データおよび対応する被検体属性データをデータ管理装置５２に転送するのに大変な手間がかかってしまう。
【００１１】
この発明は、このような事情に鑑みてなされたものであって、移動式Ｘ線撮影装置の駐車位置にかかわらず、移動式Ｘ線撮影装置からＸ線画像データおよび対応する被検体属性データを速やかにデータ管理装置に転送することができる回診用Ｘ線撮影システム、および、回診用Ｘ線撮影システムの為の移動式Ｘ線撮影装置を提供することを目的とする。
【課題を解決するための手段】
【００１２】
この発明は、このような目的を達成するために、次のような構成をとる。
【００１３】
すなわち、請求項１に記載の回診用Ｘ線撮影システムは、（ａ）被検体にＸ線を照射するＸ線管と、被検体の透過Ｘ線像を検出するフラットパネル型Ｘ線検出器と、フラットパネル型Ｘ線検出器から出力されるＸ線検出信号を信号処理してＸ線画像データを取得する検出信号処理手段と、Ｘ線画像データにしたがってＸ線画像を表示する第１画像表示手段とが移動可能な台車に搭載されている移動式Ｘ線撮影装置と、（ｂ）移動式Ｘ線撮影装置で取得されたＸ線画像データを対応する被検体属性データと共に記憶するデータ記憶手段と、Ｘ線画像データにしたがってＸ線画像を表示する第２画像表示手段が配備されているＸ線撮影関連データ管理装置と含む回診用Ｘ線撮影システムにおいて、（ｃ）移動式Ｘ線撮影装置が、検出信号処理手段で取得されるＸ線画像データを対応する被検体属性データと共に無線送信する無線送信手段を備えていて（ｄ）Ｘ線撮影関連データ管理装置が、無線送信されるＸ線画像データおよび被検体属性データを受信する無線受信手段を備えていることを特徴とするものである。
【００１４】
（作用・効果）請求項１の発明の回診用Ｘ線撮影システム（以下、適宜「Ｘ線撮影システム」と略記）によりＸ線撮影を行なう場合、移動式Ｘ線撮影装置（以下、適宜「Ｘ線撮影装置」と略記）の台車を走行させてＸ線撮影装置を撮影対象の被検体の処まで移動させた後、フラットパネル型Ｘ線検出器（以下、適宜「ＦＰＤ」と略記）とＸ線管を撮影態勢にセットしてから、Ｘ線管から被検体にＸ線を照射する。ＦＰＤはＸ線照射に伴って生じる被検体の透過Ｘ線像を検出すると共に、フラットパネル型Ｘ線検出器から出力されるＸ線検出信号を信号処理して検出信号処理手段がＸ線画像データを取得する。第１画像表示手段はＸ線画像データにしたがってＸ線撮影装置のＸ線画像を表示する。
【００１５】
そして、Ｘ線撮影装置の無線送信手段は検出信号処理手段で取得されたＸ線画像データを対応する被検体属性データと共に無線送信する。
【００１６】
他方、Ｘ線撮影関連データ管理装置（以下、適宜「データ管理装置」と略記）の無線受信手段は、Ｘ線撮影装置の無線送信手段により無線送信されたＸ線画像データおよび被検体属性データを受信する。必要に応じて、受信したＸ線画像データにしたがってＸ線画像をデータ管理装置の第２画像表示手段で表示させると共に、受信したＸ線画像データを対応する被検体属性データと共にデータ記憶手段で記憶する。
【００１７】
即ち、請求項１の発明のＸ線撮影システムの場合、Ｘ線撮影装置で取得されたＸ線画像データが対応する被検体属性データと共にＸ線撮影装置の無線送信手段により無線送信されると共に、無線送信されたＸ線画像データおよび被検体属性データがデータ管理装置の無線受信手段により受信される構成を備えているので、Ｘ線撮影装置の駐車位置が何処であっても、Ｘ線撮影装置で取得されたＸ線画像データを対応する被検体属性データと共にデータ管理装置へ転送することができる。
【００１８】
よって、請求項１の発明のＸ線撮影システムによれば、Ｘ線撮影装置の駐車位置にかかわらず、Ｘ線撮影装置からＸ線画像データおよび対応する被検体属性データを速やかにデータ管理装置に転送することができる。
【００１９】
また、請求項２の発明は、請求項１に記載のＸ線撮影システムにおいて、Ｘ線撮影関連データ管理装置が、移動式Ｘ線撮影装置によるＸ線撮影遂行に必要な緊急情報を無線送信する無線送信手段を備えていて、移動式Ｘ線撮影装置が、無線送信されるＸ線撮影遂行に必要な緊急情報を受信する無線受信手段と、Ｘ線撮影遂行に必要な緊急情報を表示する情報表示手段とを備えているものである。
【００２０】
（作用・効果）請求項２の発明のＸ線撮影システムの場合、Ｘ線撮影装置によるＸ線撮影遂行に必要な緊急情報を移動式Ｘ線撮影装置へ伝達する時は、データ管理装置の無線送信手段により、Ｘ線撮影装置によるＸ線撮影遂行に必要な緊急情報が無線送信される。無線送信されたＸ線撮影遂行に必要な緊急情報は、Ｘ線撮影装置の無線受信手段により受信されると共に、受信されたＸ線撮影遂行に必要な緊急情報はＸ線撮影装置の情報表示手段で表示されることで伝達されることになる。
【００２１】
即ち、請求項２の発明のＸ線撮影システムの場合、Ｘ線撮影装置によるＸ線撮影遂行に必要な緊急情報がデータ管理装置からＸ線撮影装置へ無線で伝達されるので、Ｘ線撮影装置の駐車位置が何処であっても、Ｘ線撮影遂行に必要な緊急情報がデータ管理装置からＸ線撮影装置へ速やかに伝達される。
【００２２】
また、請求項３の発明は、請求項２に記載の回診用Ｘ線撮影システムにおいて、情報表示手段が移動式Ｘ線撮影装置の第１画像表示手段に、伝達された緊急情報を表示させるものである。
【００２３】
（作用・効果）請求項３の発明のＸ線撮影システムの場合、伝達された緊急情報が情報表示手段によりＸ線撮影装置のＸ線画像表示用の第１画像表示手段に表示されるので、緊急情報を表示する為の表示手段を設けなくてすむ。
【００２４】
さらに、請求項４の発明は、上記の目的を達成するために、次のような構成をとる。
【００２５】
即ち、請求項４の発明に係る移動式Ｘ線撮影装置は、請求項１に記載の回診用Ｘ線撮影システムに用いられる移動式Ｘ線撮影装置であって、被検体にＸ線を照射するＸ線管と、被検体の透過Ｘ線像を検出するフラットパネル型Ｘ線検出器と、フラットパネル型Ｘ線検出器から出力されるＸ線検出信号を信号処理してＸ線画像データを取得する検出信号処理手段と、Ｘ線画像データにしたがってＸ線画像を表示する第１画像表示手段とが移動可能な台車に搭載されている移動式Ｘ線撮影装置において、検出信号処理手段で取得されるＸ線画像データを対応する被検体属性データと共に無線送信する無線送信手段を備えていることを特徴とするものである。
【００２６】
（作用・効果）請求項４の発明の移動式Ｘ線撮影装置を請求項１のＸ線撮影システムに用いてＸ線撮影を行なう場合、Ｘ線撮影装置の台車を移動させてＸ線撮影装置を撮影対象の被検体の処まで移動させた後、ＦＰＤとＸ線管を撮影態勢にセットしてから、Ｘ線管から被検体にＸ線を照射する。ＦＰＤはＸ線照射に伴って生じる被検体の透過Ｘ線像を検出すると共に、検出信号処理手段がＦＰＤから出力されるＸ線検出信号を信号処理してＸ線画像データを取得する。第１画像表示手段はＸ線画像データにしたがってＸ線撮影装置のＸ線画像を表示する。
【００２７】
そして、Ｘ線撮影装置の無線送信手段は検出信号処理手段で取得されたＸ線画像データを対応する被検体属性データと共に無線送信する。
【００２８】
一方、Ｘ線撮影システムを構成する装置としてのデータ管理装置の無線受信手段は、Ｘ線撮影装置の無線送信手段により無線送信されたＸ線画像データおよび被検体属性データを受信する。受信したＸ線画像データにしたがってＸ線画像をデータ管理装置の第２画像表示手段により表示させると共に、受信したＸ線画像データを対応する被検体属性データと共にデータ記憶手段により記憶する。
【００２９】
即ち、請求項４の発明の移動式Ｘ線撮影装置の場合、請求項１の発明の回診用Ｘ線撮影システムに用いられた時は、Ｘ線撮影装置で取得されたＸ線画像データが対応する被検体属性データと共にＸ線撮影装置の無線送信手段により無線送信されると共に、無線送信されたＸ線画像データおよび被検体属性データがデータ管理装置の無線受信手段により受信される構成を備えているので、Ｘ線撮影装置の駐車位置が何処であっても、Ｘ線撮影装置で取得されたＸ線画像データを対応する被検体属性データと共にデータ管理装置へ転送することができる。
【００３０】
よって、請求項４の発明の移動式Ｘ線撮影装置によれば、Ｘ線撮影装置の駐車位置にかかわらず、Ｘ線撮影装置からＸ線画像データおよび対応する被検体属性データを速やかにデータ管理装置に転送することができる。
【発明の効果】
【００３１】
請求項１の発明の回診用Ｘ線撮影システムの場合、Ｘ線撮影装置で取得されたＸ線画像データが対応する被検体属性データと共にＸ線撮影装置の無線送信手段により無線送信されると共に、無線送信されたＸ線画像データおよび被検体属性データがデータ管理装置の無線受信手段により受信される構成を備えているので、Ｘ線撮影装置の駐車位置が何処であっても、Ｘ線撮影装置で取得されたＸ線画像データを対応する被検体属性データと共にデータ管理装置へ転送することができる。
【００３２】
よって、請求項１の発明の回診用Ｘ線撮影システムによれば、移動式Ｘ線撮影装置の駐車位置にかかわらず、移動式Ｘ線撮影装置からＸ線画像データおよび対応する被検体属性データを速やかにＸ線撮影関連データ管理装置に転送することができる。
【００３３】
請求項４の発明の移動式Ｘ線撮影装置の場合、請求項１の発明のＸ線撮影システムに用いられた時は、Ｘ線撮影装置で取得されたＸ線画像データが対応する被検体属性データと共にＸ線撮影装置の無線送信手段により無線送信されると共に、無線送信されたＸ線画像データおよび被検体属性データがデータ管理装置の無線受信手段により受信される構成を備えているので、Ｘ線撮影装置の駐車位置が何処であっても、Ｘ線撮影装置で取得されたＸ線画像データを対応する被検体属性データと共にデータ管理装置へ転送することができる。
【００３４】
よって、請求項４の発明の移動式Ｘ線撮影装置によれば、移動式Ｘ線撮影装置の駐車位置にかかわらず、移動式Ｘ線撮影装置からＸ線画像データおよび対応する被検体属性データを速やかにＸ線撮影関連データ管理装置に転送することができる。
【実施例】
【００３５】
以下、この発明の一実施例を説明する。図１はこの発明の移動式Ｘ線撮影装置の一例を用いて構成した実施例の回診用Ｘ線撮影システムの設置状態を示す模式図、図２は実施例のＸ線撮影システムによるＸ線撮影実行時の状況を示す模式図、図３は実施例の撮影システムに用いられているＸ線撮影装置とデータ管理装置の制御処理系の構成を示すブロック図である。
【００３６】
実施例のＸ線撮影システムは、４輪タイプで後輪駆動型の電動移動可能なＸ線撮影装置１と、管理室に据え置かれるデータ管理装置２を備えていて、Ｘ線撮影装置１によるＸ線撮影で取得されるＸ線画像データがデータ管理装置２によって管理される構成とされている。
【００３７】
Ｘ線撮影装置１は、被検体ＭにＸ線を照射するＸ線管３と、被検体Ｍの透過Ｘ線像を検出するＦＰＤ４と、ＦＰＤ４から出力されるＸ線検出信号を信号処理してＸ線画像データを取得する検出信号処理部５と、Ｘ線画像データにしたがってＸ線画像を表示する画像表示モニタ６とが電動走行タイプの台車７に搭載されているのに加え、電動モータなどの台車７の電動走行に必要な装備類（図示省略）やＸ線撮影および装置移動に必要な電力を供給するバッテリー（図示省略）等も台車７に搭載されている。
【００３８】
Ｘ線管３は台車７の正面寄り中央に立設された垂直支柱８に昇降可能に配設されている水平アーム９の先端に取り付けられている。台車７の走行中は、通常、水平アーム９がＸ線管３ごと台車７の背面側に向けられ、Ｘ線撮影を行なう時に、図２に示すように、水平アーム９がＸ線管３ごと台車７の正面側に向けられる。
【００３９】
Ｘ線撮影の実行等に必要な操作を行なう操作パネル１０は、台車７の後寄り上面に配設搭載されている。操作パネル１０でＸ線管３の管電圧・管電流などの撮影条件の設定や、Ｘ線照射の指令などが行なえる構成とされている。
【００４０】
さらに、高圧電源（図示省略）を含むＸ線照射制御部１１が台車１に搭載されていて、Ｘ線照射制御部１１は、操作パネル１０による操作にしたがってＸ線管３がバッテリーから必要なエネルギーの供給を受けながら被検体ＭにＸ線を照射する制御を行なう。
【００４１】
透過Ｘ線像検出用のＦＰＤ４は、台車７に簡単に出し入れできる状態で台車７に配設されているボックス（図示省略）に収容されている。このＦＰＤ４の場合、図４に示すように、Ｘ線検出面に多数のＸ線検出素子４ａが、Ｘ線透視画像の画素配列に対応する配列でＸ方向（横方向）とＹ方向（縦方向）に配置されている。より具体的には、例えばＸ方向とＹ方向にそれぞれ４０００個程度のＸ線検出素子４ａが並ぶ約４０００×約４０００の正方形マトリックスの配列でＸ線検出素子４ａが配置されている。ＦＰＤ４は軽量・薄型の検出器であるので、ベッド上の被検体Ｍの背中側にセットすることができるのに加え、Ｘ線透過像検出用の２次元Ｘ線検出器まわりの構成の簡素化が図れる。
【００４２】
Ｘ線撮影の実行時には、Ｘ線管３から被検体ＭにＸ線が照射されると共に、透過Ｘ線像検出用のＦＰＤ４からＸ線検出信号が出力される。そして、検出信号処理部５はＦＰＤ４から出力されるＸ線検出信号を信号処理してＸ線画像データを取得する。
【００４３】
また、検出信号処理部５は取得したＸ線画像データを一時的に保持しながらＸ線画像データを液晶タイプの画像表示モニタ６に送出する。画像表示モニタ６は検出信号処理部５から受け取ったＸ線画像データにしたがってＸ線画像を画面に映し出して表示する。
【００４４】
また、Ｘ線撮影装置１は、Ｘ線画像データや被検体属性データなどを記憶するデータメモリ部１２を備えている。なお、被検体属性データとしては、例えば撮影対象の被検体Ｍの氏名および患者番号や病室番号などが挙げられ、被検体属性データは、Ｘ線撮影実行時に操作パネル１０の入力操作でデータメモリ部１２に記憶されたり、Ｘ線撮影の準備段階でデータメモリ部１２に予め他のデータメモリ部から転送記憶されたりする。また、操作パネル１０の操作でデータメモリ部１２から被検体属性データを読み出して画像表示モニタ６に表示することもできる。
【００４５】
また、データメモリ部１２は操作パネル１０の操作にしたがって検出信号処理部５に一時的に保持されているＸ線画像データを対応する被検体属性データと共に記憶する構成とされている。
【００４６】
撮影技師は、画像表示モニタ６が表示しているＸ線画像が適切であれば、操作パネル１０を操作して検出信号処理部５に一時的に保持されているＸ線画像データを対応する被検体属性データと共にデータメモリ部１２に記憶させる。
【００４７】
さらに、Ｘ線撮影装置１は、検出信号処理部５で取得されるＸ線画像データを対応する被検体属性データと共に無線送信する無線送信部１３を備えている。無線送信部１３は無線アンテナ１４と送信回路１５とからなり、操作パネル１０の操作に伴ってデータメモリ部１２から読み出されたＸ線画像データが対応する被検体属性データと共に送信回路１５で無線送信に必要な変調処理等が施された後、無線アンテナ１４から電波として発信される。
【００４８】
一方、データ管理装置２は、Ｘ線撮影装置１で取得されたＸ線画像データを対応する被検体属性データと共に記憶するデータメモリ部１６と、Ｘ線画像データにしたがってＸ線画像を表示する画像表示モニタ１７を備えている他に、データの管理に必要な操作を行なう操作パネル１８などを備えている。
【００４９】
さらに、データ管理装置２は、無線送信されるＸ線画像データおよび被検体属性データを受信する無線受信部１９を備えている。無線受信部１９は無線アンテナ２０と受信回路２１とからなり、Ｘ線撮影装置１から電波の形で無線送信されるＸ線画像データおよび被検体属性データは無線アンテナ２０で微弱な電気信号に変換された後、受信回路２１で必要な復調処理等が施されて後段に送られる。
【００５０】
また、データ管理装置２は、受信回路２１から出力されるＸ線画像データおよび被検体属性データを一時的に保持しながらＸ線画像データを液晶タイプの画像表示モニタ１７に送出する受信データ処理部２２を備えている。画像表示モニタ１７は受信データ処理部２２から受け取ったＸ線画像データにしたがってＸ線画像を画面に映し出して表示する。
【００５１】
加えて、受信データ処理部２２は一時的に記憶しているＸ線画像データを自動的あるいは操作パネル１８による操作に応じて調整処理して一時的に記憶しているＸ線画像データを更新する。受信データ処理部２２による調整処理で画像表示モニタ１７で表示されるＸ線画像を適切なものとすることができる。
【００５２】
画像表示モニタ１７で表示されるＸ線画像が適切なものになったら、必要に応じて操作パネル１８を操作して受信データ処理部２２で一時的に保管されているＸ線画像データを対応する被検体属性データと共にデータメモリ部１６に記憶する。データメモリ部１６に記憶されているＸ線画像データや被検体属性データは、操作パネル１８を操作して随時に読み出すことができる。
【００５３】
さらに、データ管理装置２は、Ｘ線撮影装置１によるＸ線撮影遂行に必要な緊急情報を無線送信する無線送信部２３を備えている。無線送信部２３は無線アンテナ２０と送信回路２４とからなる。また、操作パネル１８の操作により緊急情報の無線送信が指令されるのに伴って情報伝達処理部２５が指令された緊急情報に対応する緊急情報用信号を無線送信部２３へ出力する構成とされている。緊急情報用信号は送信回路２４で無線送信に必要な変調処理等が施されて無線アンテナ２０から電波として発信される。
【００５４】
なお、Ｘ線撮影遂行に必要な緊急情報としては、撮影指令の変更・追加やその他の緊急連絡事項などが挙げられる。
【００５５】
また、Ｘ線撮影装置１は、データ管理装置２から無線送信されるＸ線撮影遂行に必要な緊急情報を受信する無線受信部２６と、Ｘ線撮影遂行に必要な緊急情報を画像表示モニタ６に表示する情報表示処理部２７とを備えている。無線受信部２６は無線アンテナ１４と受信回路２８とからなり、データ管理装置２から電波の形で無線送信される緊急情報は無線アンテナ１４で微弱な電気信号に変換されて受信回路２８で必要な復調処理等が施されて情報表示処理部２７へ送り出される。
【００５６】
緊急情報が送り込まれた情報表示処理部２７は、先ず画像表示モニタ６に緊急情報が到着したことを知らせる情報到着サインをＸ線画像等を表示中の画面に同時表示する。情報到着サインを見た撮影技師は、操作パネル１０で緊急情報の表示を指令する操作を行なうと、画像表示モニタ６の画面に伝達された緊急情報が表示される。
【００５７】
このように、情報表示処理部２７はＸ線撮影装置１の画像表示モニタ６に伝達された緊急情報を重畳表示させる。例えば、画像表示モニタ６はＸ線画像に加えて緊急情報を同時表示する。その結果、緊急情報を表示する為の表示モニタは設ける必要がない。
【００５８】
また、データ管理装置２はプリンター２９を装備している。操作パネル１８の操作によりデータメモリ部１６に記憶されているＸ線画像データを読み出すと共に、プリンター２９が読み出したＸ線画像データにしたがってＸ線画像をシートに印刷してＸ線写真を取得することも可能である。
【００５９】
続いて、以上に述べた構成を有する実施例のＸ線撮影システムによるＸ線撮影について説明する。
【００６０】
先ず、Ｘ線撮影装置１の台車７を走行させてＸ線撮影装置１を撮影対象の被検体Ｍの居る病室へ移動させる。そして、Ｘ線撮影装置１を起動して、画像表示モニタ６を作動状態とすると、Ｘ線撮影装置１はＸ線撮影遂行に必要な緊急情報の受信・表示が可能な状態となる。
【００６１】
次に、Ｘ線管３とＦＰＤ４を撮影態勢にセットしておいて、Ｘ線管３から被検体ＭにＸ線を照射する。ＦＰＤ４はＸ線照射に伴って生じる被検体Ｍの透過Ｘ線像を検出すると共に、検出信号処理部５がＦＰＤ４から出力されるＸ線検出信号を信号処理してＸ線画像データを取得する。Ｘ線撮影装置１の画像表示モニタ６はＸ線画像データにしたがってＸ線画像を表示させる。
【００６２】
そして、Ｘ線画像データをデータ管理装置２に送信する場合は、操作パネル１０を操作してＸ線撮影装置１の無線送信部１３によりＸ線画像データを対応する被検体属性データと共に無線送信する。
【００６３】
データ管理装置２の無線受信部１９は、Ｘ線撮影装置１の無線送信部１３により無線送信されたＸ線画像データおよび被検体属性データを受信する。受信したＸ線画像データは受信データ処理部２２で調整されながらＸ線画像データにしたがってＸ線画像を画像表示モニタ１７で表示させると共に、調整処理した適当なＸ線画像のＸ線画像データを対応する被検体属性データと共にデータメモリ部１６で記憶する。
【００６４】
データ管理装置２からＸ線撮影装置１にＸ線撮影遂行に必要な緊急情報を伝達しなければならない場合は、データ管理装置２の管理者が操作パネル１０の操作により緊急情報の無線送信が指令されるのに伴って情報伝達処理部２５が指令された緊急情報に対応する緊急情報信号が無線送信部２３へ出力される。
【００６５】
また、Ｘ線撮影の実行中、Ｘ線撮影装置１の無線受信部２６がデータ管理装置２から無線送信されるＸ線撮影遂行に必要な緊急情報を受信すると、情報表示処理部２７が緊急情報の情報到着サインを画像表示モニタ６で表示させる。撮影技師は、画像表示モニタ６に表示された情報到着サインを見たら、直ちに操作パネル１０を操作して画像表示モニタ６に緊急情報を表示して、伝達された緊急情報に即した対応をとる。
【００６６】
Ｘ線撮影が完了とすると、Ｘ線管３を移動態勢に戻すと共にＦＰＤ４を台車７に収容しする。そして、台車７を走行させてＸ線撮影装置１を次の撮影対象の被検体の居る病室へ移動させて同様にＸ線撮影を繰り返す。
【００６７】
以上に述べた実施例のＸ線撮影システムあるいはＸ線撮影装置１の場合、Ｘ線撮影装置１で取得されたＸ線画像データが対応する被検体属性データと共にＸ線撮影装置１の無線送信部１３で無線送信されると共に、無線送信されたＸ線画像データおよび被検体属性データがデータ管理装置２の無線受信部１９で受信される構成を備えているので、Ｘ線撮影装置１の駐車位置が何処であっても、Ｘ線撮影装置１で取得されたＸ線画像データを対応する被検体属性データと共にデータ管理装置２へ速やかに転送することができる。
【００６８】
加えて、Ｘ線撮影装置１によるＸ線撮影遂行に必要な緊急情報がデータ管理装置２からＸ線撮影装置１へ無線で伝達されるので、Ｘ線撮影装置１の駐車位置が何処であっても、Ｘ線撮影装置１によるＸ線撮影遂行に必要な緊急情報がデータ管理装置２からＸ線撮影装置１へ速やかに伝達される。
【００６９】
この発明は、上記の実施例に限られるものではなく、以下のように変形実施することも可能である。
【００７０】
（１）実施例のＸ線撮影システムの場合、プリンター２９はデータ管理装置２の付属装備であったが、プリンターは独立した装置としてＸ線撮影システムに含まれていると共に無線受信部を備えていて、データ管理装置の一つである他は実施例と同様の構成のＸ線撮影システムが変形例として挙げられる。
【００７１】
（２）実施例の装置の場合、台車１が後輪駆動型であったが、台車１は前輪駆動型、或いは全輪駆動型であってもよい。
【図面の簡単な説明】
【００７２】
【図１】実施例の回診用Ｘ線撮影システムの設置状態を示す模式図である。
【図２】実施例のＸ線撮影システムによるＸ線撮影実行時の状況を示す模式図である。
【図３】実施例の撮影システムを構成しているＸ線撮影装置とデータ管理装置の制御処理系の構成を示すブロック図である。
【図４】実施例の装置が搭載しているＦＰＤのＸ線検出素子の配置状況を示す平面図である。
【図５】従来の回診用Ｘ線撮影システムの設置状態を示す模式図である。
【図６】従来の移動式Ｘ線撮影装置を示す立面図である。
【図７】従来の移動式Ｘ線撮影装置によるＸ線撮影の状況を示す立面図である。
【符号の説明】
【００７３】
１              …移動式Ｘ線撮影装置
２              …Ｘ線撮影関連データ管理装置
３              …Ｘ線管
４              …ＦＰＤ
５              …検出信号処理部
６，１７        …画像表示モニタ
７              …台車
１２，１６      …データメモリ部
１３，２４      …無線送信部
１９，２６      …無線受信部
２５            …情報表示処理部
Ｍ              …被検体
【図１】
2006095212.tif 000003
【図２】
2006095212.tif 000004
【図３】
2006095212.tif 000005
【図４】
2006095212.tif 000006
【図５】
2006095212.tif 000007
【図６】
2006095212.tif 000008
【図７】
2006095212.tif 000009